(57)【要約】      （修正有）【課題】構造が精巧で簡単であり、組み立てが便利であり、空間の利用効率に優れる無線充電を具備する撹拌脱泡ミキサーを提供する。【解決手段】公転基部１４を有する公転機構１０と、公転機構１０の公転基部１４に連結される第一自転機構２０と、第一自転機構２０に結合されて材料の収容に用いられる第一ドラム３０と、電力装置６６に電気的に接続される送信コイル６２と、公転機構１０の公転基部１４に機械的に接続されると共に、第一自転機構２０及び送信コイル６２に電気的に接続され、公転基部１４と共に回転を行う誘導コイル６４と、を備え、送信コイル６２の磁場変化により誘導コイル６４が第一自転機構２０を駆動するための誘導電流を発生させ、第一自転機構２０が第一ドラム３０を回転する。【選択図】図２
0003221546.tif 000002
【実用新案登録請求の範囲】
【請求項１】
材料の混合を行うための無線充電を具備する撹拌脱泡ミキサーであって、
公転基部を有する公転機構と、
前記公転機構の前記公転基部に連結される第一自転機構と、
前記第一自転機構に結合されて前記材料の収容に用いられる第一ドラムと、
電力装置に電気的に接続される送信コイルと、
前記公転機構の前記公転基部に接続されると共に前記第一自転機構及び対応する前記送信コイルに接続され、前記公転基部と共に回転を行う誘導コイルと、を備え、
前記送信コイルの磁場変化により前記誘導コイルが前記第一自転機構を駆動するための誘導電流を発生させ、前記第一自転機構が前記第一ドラムを回転するように連動させることを特徴とする無線充電を具備する撹拌脱泡ミキサー。
【請求項２】
前記第一自転機構は、前記公転機構に配置されると共に前記誘導コイルに電気的に接続される第一自転モーターを備え、前記第一自転モーターの出力端は前記第一ドラムに接続されることを特徴とする請求項１に記載の無線充電を具備する撹拌脱泡ミキサー。
【請求項３】
前記公転機構は公転モーターにより前記公転基部が駆動され、前記第一自転モーターが前記公転基部に配置されることを特徴とする請求項２に記載の無線充電を具備する撹拌脱泡ミキサー。
【請求項４】
前記公転基部は、前記第一自転モーターが装設される傾斜配置部を有し、前記第一ドラムは前記第一自転モーターに連結されると共に傾斜状を呈することを特徴とする請求項３に記載の無線充電を具備する撹拌脱泡ミキサー。
【請求項５】
前記公転機構が配置される基板を更に備え、前記第一自転機構、前記誘導コイル、及び前記第一ドラムが前記基板の一側に位置されることを特徴とする請求項１に記載の無線充電を具備する撹拌脱泡ミキサー。
【請求項６】
前記基板が配置される本体を更に備え、前記基板の一側にある前記本体内部空間を第一空間とし、前記基板の他側にある前記本体内部空間を第二空間とし、前記第一自転機構、前記誘導コイル、及び前記第一ドラムが前記第二空間に位置されることを特徴とする請求項５に記載の無線充電を具備する撹拌脱泡ミキサー。
【請求項７】
前記第二空間に連結される真空手段を更に備え、前記第二空間は前記真空手段の作用を受けて真空状を形成させることを特徴とする請求項６に記載の無線充電を具備する撹拌脱泡ミキサー。
【請求項８】
前記第二空間内に位置されると共に前記送信コイル及び前記誘導コイルの隔離に用いられるカバーを更に備えることを特徴とする請求項７に記載の無線充電を具備する撹拌脱泡ミキサー。
【請求項９】
第二ドラム及び前記公転機構に連結される第二自転機構を更に備え、前記第二自転機構は、前記公転機構に配置されると共に前記誘導コイルに電気的に接続される第二自転モーターを含み、且つ前記第二自転モーターの出力端は第二ドラムに接続され、前記第二ドラムは前記第一ドラムに対応するように位置されることを特徴とする請求項１に記載の無線充電を具備する撹拌脱泡ミキサー。
【請求項１０】
前記第一ドラムに対するように前記公転機構に配置される重錘体を更に備えることを特徴とする請求項１に記載の無線充電を具備する撹拌脱泡ミキサー。
【考案の詳細な説明】
【技術分野】
【０００１】
本考案は、撹拌脱泡ミキサーの分野に関し、より詳しくは、無線充電を具備する撹拌脱泡ミキサー（Deaerating and mixing device with wireless charging）に関する。
【背景技術】
【０００２】
撹拌脱泡ミキサーは回転ユニットを利用して材料受け皿が回転するように駆動させ、適切な真空遠心分離運動を組み合わせ、材料受け皿内に入れられる液体を均一になるように応動させると共に脱泡させ、均一な混合物を形成させる。
【０００３】
撹拌脱泡ミキサーは高粘度のゲル材料の撹拌及び脱泡、２液型接着剤及び紫外線硬化型接着剤の混合及び脱泡、銀ペースト及びはんだペーストの撹拌及び脱泡、エポキシ樹脂及び合成樹脂の脱泡、薬品及び歯型用石膏の撹拌及び脱泡、化粧品材料の混合、各種ゲル材料、軟膏類、インク、漆の撹拌及び脱泡等に常用される。このため、適用業種として半導体、精密検査、ＰＤＰ、ＯＬＥＤ、ＬＣＤ、ＬＥＤ、ＰＣＢ、ＳＭＴ、化粧品、歯型、化学材料、及び食品等の製造業を含む。
【０００４】
従来の特許文献１では、例えば、真空遠心脱気装置こと考案が記載されている。装置は基部に固定フレームが架設され、固定フレームには回転ユニットが枢着され、回転ユニットの周囲には材料受け皿が分布される。次に、固定フレームには回転ユニットを運転させるための第一伝動部材が固結され、且つ固定フレームには材料受け皿を運転させるための第二伝動部材が固結される。また、基部には第一伝動部材の回転速度を制御するための第一制御部材、及び第二伝動部材の回転速度を制御するための第二制御部材が設置される。これにより、第一伝動部材及び第二伝動部材の回転速度がそれぞれ設定される。
【先行技術文献】
【特許文献】
【０００５】
【特許文献１】台湾登録実用新案第Ｍ３９５０００号公報
【考案の概要】
【考案が解決しようとする課題】
【０００６】
しかしながら、前述した従来の技術では、実用新案に掲示される構造は非常に複雑であり、より多くの制御手段及び更に大きな収容空間が必要であるため、理想的な構造設計には程遠かった。
【０００７】
そこで、本考案者は上記の欠点が改善可能と考え、鋭意検討を重ねた結果、合理的設計で上記の課題を効果的に改善する本考案の提案に到った。
【０００８】
本考案はこうした状況に鑑みてなされたものであり、その目的は、無線充電を具備する撹拌脱泡ミキサー技術を提供することにある。無線給電モードを有し、給電機構を減らし、構造を精巧で簡単にし、空間の利用効率を高める効果を達成させる。
【０００９】
本考案の他の目的は、無線充電を具備する撹拌脱泡ミキサー技術を提供することにある。独立して駆動制御される自転機構を有し、撹拌脱泡ミキサーが実際の需要に応じて適切な使用状態を提供する。
【課題を解決するための手段】
【００１０】
上記課題を解決するために、本考案のある態様の無線充電を具備する撹拌脱泡ミキサーは、公転機構と、公転機構に連結される第一自転機構と、第一自転機構に結合されると共に適切な材料の収容に用いられる第一ドラムと、電力装置に電気的に接続される送信コイルと、第一自転機構に接続されると共に送信コイルに対する誘導コイルと、を備える。これにより、送信コイルの磁場変化により誘導コイルが第一自転機構を駆動するための誘導電流を発生させ、第一自転機構が第一ドラムを回転するように連動させることにより材料が混合される。
【００１１】
また、公転機構には第二自転機構及び第二ドラムの組み合わせが配置され、且つ第二自転機構は誘導コイルに電気的に接続され、第二自転機構及び第二ドラムの組み合わせは第一自転機構及び第一ドラムの組み合わせの相対面に位置される。
【考案の効果】
【００１２】
本考案によれば、従来の撹拌脱泡ミキサーは伝動及び制御構造が複雑すぎ、大きな組み立て空間を必要とするという欠点を解決させる。
【図面の簡単な説明】
【００１３】
【図１】本考案の部分構成及びその接合を例示する組み合わせの外観斜視図である。
【図２】本考案の一実施形態の組み合わせ構成を例示する概略図である。
【図３】本考案が本体内部に装設される組み合わせ構成を例示する概略図である。
【図４】本考案の他の実施形態の組み合わせ構成を例示する概略図である。
【図５】本考案のさらなる他の実施形態の組み合わせ構成を例示する概略図である。
【考案を実施するための形態】
【００１４】
以下に図面を参照して、本考案を実施するための形態について、詳細に説明する。なお、本考案は、以下に説明する実施形態に限定されるものではない。尚、以下に説明する実施の形態は、実用新案登録請求の範囲に記載された本考案の内容を限定するものではない。また、以下に説明される構成の全てが、本考案の必須要件であるとは限らない。
【００１５】
撹拌脱泡ミキサーは、公轉機構１０と、公転機構１０に接続されるように配置される第一自転機構２０と、第一自転機構２０に装設される第一ドラム３０と、を備える。公転機構１０により第一自機構２０及び第一ドラム３０が回転するように駆動され、第一自転機構２０により第一ドラム３０が回転するように駆動される（図１参照）。
【００１６】
また、第二自転機構４０及び第二ドラム５０の組み合わせを更に備える。組み合わせには公転機構１０が接続されるように配置される。第二自転機構４０及び第二ドラム５０の構造形態は第一自転機構２０及び第一ドラム３０と同じか相似し、且つ第一自転機構２０及び第一ドラム３０の組み合わせは第二自転機構４０及び第二ドラム５０の組み合わせに対応させる。
【００１７】
ちなみに、公転機構１０は公転モーター１２が公転基部１４に直接的または間接的に連結される。第一自転機構２０は第一自転モーター２２が公転基部１４の一端に配置され、且つ第一自転モーター２２の出力端が第一ドラム３０に直接的または間接的に連結される。第二自転機構４０は第二自転モーター４２が公転基部１４の他端に配置され、第二自転モーター４２の出力端が第二ドラム５０に直接的または間接的に連結される。公転機構１０の回転方向は第一自転機構２０及び第二自転機構４０の回転方向と反対になる。
【００１８】
本考案は第一自転機構２０及び第二自転機構４０に電力を供給する電源供給モジュール６０を更に備える（図２参照）。さらに、電源供給モジュール６０は送信コイル６２及び誘導コイル６４を含む。送信コイル６２は電力装置６６に電気的に接続され、誘導コイル６４は送信コイル６２に対応すると共に第一自転機構２０及び第二自転機構４０に電気的に接続される。
【００１９】
電力装置６６は送信コイル６０に電力を供給し、送信コイル６２及び誘導コイル６４の磁場変化により、誘導コイル６４が第一自転機構２０及び第二自転機構４０を駆動させるための誘導電流を発生させる。これにより第一ドラム３０及び第二ドラム５０が回転を行う。また、電力装置６６は公転機構１０の公転モーター１２に電気的に接続されてもよく、公転モーター１２が回転を行うと共に公転基部１４が第一自転機構２０、第一ドラム３０、第二自転機構４０、及び第二ドラム５０を公転機構１０と同じ回転方向に回転運動するように連動させる。
【００２０】
上述の送信コイル６２及び誘導コイル６４には所定の位置に配置される適切な装設手段が組み合わせられる。特に、公転機構１０、第一自転機構２０、及び第二自転機構４０の回転時に送信コイル６０及び誘導コイル６２が干渉させないようにする。
【００２１】
図１及び図２に戻って、公転機構１０の公転基部１４の両端には傾斜配置部１６を各々有する。第一自転モーター２２、第二自転モーター４２、及び第二自転モーター４２が傾斜配置部１６にそれぞれ装設され、これにより第一ドラム３０が第一自転モーター２２に接続されると共に傾斜状を呈する。同様に、第二ドラム５０が第二自転モーター４２に接続されると共に傾斜状を呈する。
【００２２】
なお、公転基部１４はスレーブギア１８を有するか配置され、公転モーター１２の出力端はスレーブギア１８に噛合する駆動ギア１９を有し、これにより公転モーター１２がトルクを出力させた後、駆動ギア１９及びスレーブギア１８により公転基部１４及び公転基部１４に装設される各部材が共に回転するように駆動される。また、スレーブギア１８及び駆動ギア１９の組み合わせは他の適切な形態の伝動機構によって代替可能であり、例えば、ベルト及びプーリーの組み合わせを利用してもよい。
【００２３】
図２に示されるように、電源供給モジュール６０の送信コイル６２及び誘導コイル６４は公転基部１４の同側に配置される。本実施形態に係る公転基部１４は貫通されるチャネル７０を備え、所定の数量の導線６８がチャネル７０を通過させて送信コイル６２と電力装置６６との間に電気的に接続され、公転基部１４の回転過程において、公転基部１４及び導線６８が干渉しなくなる。誘導コイル６４は適切な定位手段により公転基部１４に結合され、これにより公転基部１４の回転過程においても誘導コイル６４とは干渉しなくなる。
【００２４】
図３に示されるように、本実施形態は本体８０の内部に基板８２が装設されることにより、基板５２の一側の本体８０の内部空間を第一空間８４とし、基板８２の他側の本体８０の内部空間を第二空間８６とする。公転機構１０は基板８２に配置され、特に、公転機構１０の公転モーター１２が第一空間８４に位置される基板８２に装設される。
【００２５】
また、駆動ギア１９、スレーブギア１８、及び公転基部１４は第二空間８６に位置される。第一自転機構２０及び第一ドラム３０の組み合わせ、第二自転機構４０及び第二ドラム５０の組み合わせ、並びに対応する送信コイル６２及び誘導コイル６４は全て第二空間８６に位置される。
【００２６】
図３に示される実施形態において、公転基部１４には適切なシャフト９０及び適切な数量のベアリング９２が組み合わせられ、公転基部１４がスムーズに回転を行う。また、シャフト９０の軸方向には導線６８を通過させるチャネル９４を有し、これにより公転基部１４の回転時に導線６８との干渉を形成させなくなる。
【００２７】
前述の内容に記載の誘導コイル６４には所定の位置に配置される適切な装設手段が組み合わせられ、この手段は公転基部１４に誘導コイル６４の積載に用いられる支持フレームが配設される（破線で示す）。また、公転基部１４には誘導コイル６４に接続される電線を通過させて第一自転モーター２２及び第二自転モーター４２に接続させるための穴が開設される。
【００２８】
以上の説明に基づくと、本考案は無線給電方式により第一自転機構２０及び第二自転機構４０を駆動させる。これにより、構造が精巧で簡単になり、空間の占有率が低下し、コストも削減される。また、公転機構１０、第一自回転機２０、及び第二自転機構４０が各自独立して駆動し、多くの使用形式を有する。
【００２９】
図４は本考案の他の実施形態の組み合わせ構成を例示する概略図である。図４に示されるように、本考案は誘導コイル６４と第二自転機構４０との間の電気的に接続を取り消すことにより、第一自転機構２０及び第一ドラム３０が単独で使用可能になる。公転基部１４の回転時の平衡性及び安定性を考慮し、第二自転機構４０の配置位置に重錘体１００が更に取り付けられ、公転基部１４の回転時に重錘体１００を利用して第一自転機構２０及び第一ドラム３０の組み合わせに対する平衡効果を達成させる。また、第二自転機構４０も取り消し、重錘体１００の重量を増加させるか組み立て位置を移動させてもよい。
【００３０】
図５は本考案のさらなる他の実施形態の組み合わせ構成を例示する概略図である。本実施形態は公転基部１４に装設させるために用いられると共に第二空間８６内に位置されるカバー１０２を備える。特に、カバー１０２は導線６８が公転基部１４を通過させる出口位置に対応させる。これにより、カバー１０２が送信コイル６２を被覆させ、且つカバー１０２が送信コイル６２と誘導コイル６４との間に位置される。また、真空手段１０４の排気端１０６は第二空間８６に位置され、真空手段１０４は第一空間８４または本体８０の外に装設される。
【００３１】
よって、真空手段１０４の運転後、第二空間８６内部の空気が排気端１０６から真空手段１０４を経て本体８０の外に排出される。ちなみに、カバー１０２は導線６８が通過させる公転基部１４の出口位置を閉鎖させる。よって、第一空間８４の空気が第二空間８６に向けて流れなくなり、本考案が良好な真空効果を有し、第一ドラム３０及び第二ドラム５０内部の材料の混合及び脱泡効果が高まる。
【００３２】
本考案の各実施形態に係る構造形式は、機構が簡略化され、コストが低下し、組み立てが便利になる。公転と自転とが分離する設計により製品の寿命が延び、公転及び自転が独立して制御され、更に多くの使用の組み合わせ形態が形成される。無線給電技術により空間の占有率が低下し、全体の体積が縮小し、部材間の連結が減少するため、運転時に粉塵の発生も減少する。
【００３３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３４】
１０  公転機構
１２  公転モーター
１４  公転基部
１６  傾斜配置部
１８  スレーブギア
１９  駆動ギア
２０  第一自転機構
２２  第一自転モーター
３０  第一ドラム
４０  第二自転機構
４２  第二自転モーター
５０  第二ドラム
６０  電源供給モジュール
６２  送信コイル
６４  誘導コイル
６６  電力装置
６８  導線
７０  チャネル
８０  本体
８２  基板
８４  第一空間
８６  第二空間
９０  シャフト
９２  ベアリング
９４  チャネル
１００  重錘体
１０２  カバー
１０４  真空手段
１０６  排気端
【図１】
0003221546.tif 000003
【図２】
0003221546.tif 000004
【図３】
0003221546.tif 000005
【図４】
0003221546.tif 000006
【図５】
0003221546.tif 000007
【手続補正書】
【提出日】平成31年3月27日(2019.3.27)
【手続補正１】
【補正対象書類名】実用新案登録請求の範囲
【補正対象項目名】請求項１
【補正方法】変更
【補正の内容】
【請求項１】
材料の混合を行うための無線充電を具備する撹拌脱泡ミキサーであって、
公転基部を有する公転機構と、
前記公転機構の前記公転基部に連結される第一自転機構と、
前記第一自転機構に結合されて前記材料の収容に用いられる第一ドラムと、
電力装置に電気的に接続される送信コイルと、
前記公転機構の前記公転基部に機械的に接続されると共に、前記第一自転機構及び前記前記送信コイルに電気的に接続され、前記公転基部と共に回転を行う誘導コイルと、を備え、
前記送信コイルの磁場変化により前記誘導コイルが前記第一自転機構を駆動するための誘導電流を発生させ、前記第一自転機構が前記第一ドラムを回転するように連動させることを特徴とする無線充電を具備する撹拌脱泡ミキサー。